(57)【要約】【課題】制御基板に対する不正行為をより確実に防止可能な基板ケースユニットを提供する。【解決手段】基板ケースユニットは、基板ケースの閉止状態では、ボトムケース１２０に対してトップケース１３０を開放方向に相対移動させようとするとロック片１６６とロック受部１２５とが当接して当該開放方向への相対移動が規制されるが、外部からトップ側分離部１３６及びカッター側分離部１６４を破断し、シールカッター部材１６０からスライドロック部１６５を分離させることで、ロック片１６６とロック受部１２５との当接が解除されて当該開放方向への相対移動が許容されるよう構成される。【選択図】図１８
2014171757.tif 000002
【特許請求の範囲】
【請求項１】
第１ケース部材及び前記第１ケース部材に対して開閉可能に取り付けられる第２ケース
部材を備え、前記第１ケース部材に対して前記第２ケース部材を開閉移動方向における閉
止方向に相対移動させて前記第２ケース部材を前記第１ケース部材に閉止状態で保持させ
て、当該閉止状態で前記第１ケース部材及び前記第２ケース部材に囲まれて形成されるケ
ース内部に制御基板を収容する基板ケースユニットであって、
前記第１ケース部材及び前記第２ケース部材のいずれか一方のケース部材に貼着される
シール部材と、
前記シール部材が貼着された前記一方のケース部材に仮止めされるとともに、他方のケ
ース部材と係合可能に形成されて、前記シール部材を破断可能なシール破断部材とを備え
、
前記シール破断部材は、ロック部と、破断可能に形成されて当該シール破断部材から前
記ロック部を分離させ得る破断部材分離部とを有し、
前記一方のケース部材は、前記ロック部と当接又は係合する被ロック部を有し、
前記他方のケース部材は、前記閉止状態において前記ロック部と整合位置する遮蔽部と
、破断可能に形成されて当該他方のケース部材から前記遮蔽部を分離させ得るケース分離
部とを有し、
前記第１ケース部材に対して前記第２ケース部材を前記閉止方向に相対移動させたとき
、前記一方のケース部材に仮止めされた前記シール破断部材に対して前記他方のケース部
材が相対移動不能に係合連結し、
前記閉止状態では、前記第１ケース部材に対して前記第２ケース部材を前記開閉移動方
向における開放方向に相対移動させようとすると前記ロック部と前記被ロック部とが当接
又は係合して当該開放方向への相対移動が規制されるが、外部から前記破断部材分離部及
び前記ケース分離部を破断し、前記破断部材本体から前記ロック部を分離させることで、
前記ロック部と前記被ロック部との当接又は係合が解除されて当該開放方向への相対移動
が許容され、
当該許容状態において前記第１ケース部材に対して前記第２ケース部材を前記開放方向
に相対移動させたとき、前記シール破断部材が前記他方のケース部材と係合状態を維持し
ながら前記他方のケース部材と一体的に相対移動して前記一方のケース部材に貼着された
前記シール部材に接触してこれを破断することを特徴とする基板ケースユニット。
【請求項２】
前記破断部材分離部は、前記ロック部の近傍に配置された複数のスリットを有して形成
され、前記複数のスリットに沿って当該破断部材分離部が破断されることにより前記破断
部材本体から前記ロック部が分離され、
前記破断部材本体における前記ロック部と前記スリットとの間に位置して、前記スリッ
トから挿入された不正具が前記ロック部へ向けて侵入するのを妨げるための阻止部が形成
されていることを特徴とする請求項１に記載の基板ケースユニット。
【発明の詳細な説明】
【技術分野】
【０００１】
本発明は、遊技機の制御に用いる制御基板を収容する基板ケースユニットに関する。
【背景技術】
【０００２】
ぱちんこ遊技機等の遊技機には、該遊技機に搭載された電子部品の作動を制御する制御
基板が設けられている。例えば、主制御基板ないしメイン制御基板と称される制御基板に
は、遊技機の制御ソフトウェアが書き込まれたＲＯＭが搭載され、遊技機の作動を統括的
に制御する中枢制御装置としての役割を有している。そのため、遊技機の制御基板は、偽
造ＲＯＭへの差し替えや不正回路の付加などの行為対象になりやすい。
【０００３】
このような不正行為を防止して公正な遊技に供するため、制御基板は、ともに透明な樹
脂材料を用いて形成されたボトムケースとその前方に開閉可能に装着されるトップケース
とからなる基板ケース内に収容されている。また、基板ケースには、ボトムケースに対し
てトップケースを閉止状態で装着したときに、ボトムケース側に形成した係合部とトップ
ケース側に形成した係合部とが係合連結することで基板ケースを閉止状態でロックし、ト
ップケース（もしくはボトムケース）とその係合部との間を繋ぐ連結部をニッパ等の工具
を用いて切り離さない限り基板ケースを開放不能にする不正開放防止構造が設けられてい
る（例えば、特許文献１を参照）。
【０００４】
また、遊技機の固有情報や、制御基板の識別情報等を記憶させた無線読み取り可能なＩ
Ｃチップを有した封印シールをボトムケース及びトップケースの境界を跨ぐように貼着し
、これを外方からシールカバー部材で包囲することで、基板ケースを封印することも知ら
れている（例えば、特許文献２を参照）。このような封印シールを用いた場合、基板ケー
スを開放するために封印シールを剥がそうとすると、封印シールが破断され易くなってい
るため、目視によりその破断箇所の確認が出来ると共に、リーダ等によってＩＣチップの
格納情報を読み取ることが出来なくなるので、基板ケースに対する不正なアクセスがあっ
た場合の痕跡をより明瞭に残すことができる。
【０００５】
かかる封印シールは、基板ケースの不正開放対策に資することができるが、これが巧妙
化した手口により不正に剥がされて（例えば、剥離剤を用いて剥がされて）再使用される
と、基板ケースそのものを交換するような不正行為を却って発見しにくくなる。そのため
、封印シールを外方から包囲するシールカバー部材に封印シールを破壊するための破壊突
起を設けて、基板ケースを開放する際にシールカバー部材を外した時点で封印シールが復
旧不能な程度に破壊される構成が提案されている（例えば、特許文献３を参照）。
【先行技術文献】
【特許文献】
【０００６】
【特許文献１】特開２００４−６５２８０号公報
【特許文献２】特開２００９−２６１６４０号公報
【特許文献３】特開２０１０−１７８９０３号公報
【発明の概要】
【発明が解決しようとする課題】
【０００７】
しかしながら、制御基板に対する不正行為は巧妙化しており、このような不正行為をよ
り確実に防止する対策が求められている。
【０００８】
本発明は、このような課題に鑑みてなされたものであり、制御基板に対する不正行為を
より確実に防止可能な基板ケースユニットを提供することを目的とする。
【課題を解決するための手段】
【０００９】
このような目的達成のために、本発明に係る基板ケースユニットは、第１ケース部材（
例えば、実施形態におけるボトムケース１２０）及び第１ケース部材に対して開閉可能に
取り付けられる第２ケース部材（例えば、実施形態におけるトップケース１３０）を備え
、第１ケース部材に対して第２ケース部材を開閉移動方向における閉止方向に相対移動さ
せて第２ケース部材を第１ケース部材に閉止状態で保持させて、当該閉止状態で第１ケー
ス部材及び第２ケース部材に囲まれて形成されるケース内部に制御基板（例えば、実施形
態における主制御基板４１）を収容する基板ケースユニットであって、第１ケース部材及
び第２ケース部材のいずれか一方のケース部材に貼着されるシール部材（例えば、実施形
態における封印シール１５０）と、シール部材が貼着された一方のケース部材に仮止めさ
れるとともに、他方のケース部材と係合可能に形成されて、シール部材を破断可能なシー
ル破断部材（例えば、実施形態におけるシールカッター部材１６０）とを備え、シール破
断部材は、ロック部（例えば、実施形態におけるスライドロック部１６５）と、破断可能
に形成されて当該シール破断部材からロック部を分離させ得る破断部材分離部（例えば、
実施形態におけるカッター側分離部１６４）とを有し、一方のケース部材は、ロック部と
当接又は係合する被ロック部（例えば、実施形態におけるロック受部１２５）を有し、他
方のケース部材は、前記閉止状態において前記ロック部と整合位置する遮蔽部と、破断可
能に形成されて当該他方のケース部材から遮蔽部を分離させ得るケース分離部（例えば、
実施形態におけるトップ側分離部１３６）とを有し、第１ケース部材に対して第２ケース
部材を閉止方向に相対移動させたとき、一方のケース部材に仮止めされたシール破断部材
に対して他方のケース部材が相対移動不能に係合連結し、閉止状態では、第１ケース部材
に対して第２ケース部材を開閉移動方向における開放方向に相対移動させようとするとロ
ック部と被ロック部とが当接又は係合して当該開放方向への相対移動が規制されるが、外
部から破断部材分離部及びケース分離部を破断し、破断部材本体からロック部を分離させ
ることで、ロック部と被ロック部との当接又は係合が解除されて当該開放方向への相対移
動が許容され、当該許容状態において第１ケース部材に対して第２ケース部材を開放方向
に相対移動させたとき、シール破断部材が他方のケース部材と係合状態を維持しながら他
方のケース部材と一体的に相対移動して一方のケース部材に貼着されたシール部材に接触
してこれを破断するよう構成される。
【発明の効果】
【００１０】
本発明によれば、制御基板に対する不正行為をより確実に防止することが可能である。
【図面の簡単な説明】
【００１１】
【図１】本実施形態に係る主制御基板ケースユニットを備えたぱちんこ遊技機の斜視図である。
【図２】ぱちんこ遊技機の背面図である。
【図３】主制御基板ケースユニットの分解斜視図である。
【図４】ボトム側封印部の斜視図である。
【図５】ボトム側封印部の斜視断面図である。
【図６】トップ側封印部の斜視図である。
【図７】トップ側封印部の斜視断面図である。
【図８】封印シールの平面図である。
【図９】シールカッター部材の斜視図である。
【図１０】シールカッター部材の斜視断面図である。
【図１１】封印シールをボトム側封印部に貼着するときの状態を示す斜視図である。
【図１２】シールカッター部材をボトム側封印部に装着するときの状態を示す斜視図である。
【図１３】シールカッター部材をボトム側封印部に装着した状態を示す斜視断面図である。
【図１４】トップ側封印部をボトム側封印部に位置合わせした状態を示す斜視図である。
【図１５】ボトム側封印に対してトップ側封印部を閉止方向にスライド移動させた状態を示す斜視図である。
【図１６】ボトム側封印に対してトップ側封印部を閉止方向にスライド移動させた状態を示す斜視断面図である。
【図１７】トップ側封印部をボトム側封印部にスライド装着した状態を示す斜視図である。
【図１８】トップ側封印部をボトム側封印部にスライド装着した状態を示す斜視断面図である。
【図１９】トップ側分離部を破断した状態を示す斜視図である。
【図２０】トップ側分離部を破断した状態を示す斜視断面図である。
【図２１】カッター側分離部を破断した状態を示す斜視図である。
【図２２】カッター側分離部を破断した状態を示す斜視断面図である。
【図２３】ボトム側封印部に対してトップ側封印部を開放方向にスライド移動させた状態を示す斜視図である。
【図２４】ボトム側封印部に対してトップ側封印部を開放方向にスライド移動させた状態を示す斜視断面図である。
【発明を実施するための形態】
【００１２】
以下、本発明の好ましい実施形態について図面を参照して説明する。本発明に係る基板
ケースユニットを備えた遊技機の代表例として、ぱちんこ遊技機ＰＭの斜視図及び背面図
を図１及び図２に示しており、まず、この図を参照してぱちんこ遊技機ＰＭの全体構成に
ついて説明する。
【００１３】
［ぱちんこ遊技機の全体構成］
始めに、図１を参照しながら、ぱちんこ遊技機ＰＭの正面側の基本構造を説明する。ぱ
ちんこ遊技機ＰＭは、図１に示すように、外郭方形枠サイズに構成された縦向きの固定保
持枠をなす外枠１の開口前面に、これに合わせた方形枠サイズに構成されて開閉搭載枠を
なす前枠２が互いの正面左側縁部に配設された上下のヒンジ機構３により横開き開閉およ
び着脱が可能に取り付けられ、正面右側縁部に設けられたダブル錠と称される施錠装置４
を利用して常には外枠１と係合連結された閉鎖状態に保持される。
【００１４】
前枠２には、この前枠２の上部前面域に合わせた方形状のガラス枠５が上下のヒンジ機
構３を利用して横開き開閉および着脱可能に組み付けられ、施錠装置４を利用して常には
前枠２の前面を覆う閉鎖状態に保持される。前枠２には、遊技盤１０が着脱可能にセット
保持され、常には閉鎖保持されるガラス枠５の複層ガラス５ａを通して遊技盤１０の正面
の遊技領域ＰＡを視認可能に臨ませるようになっている。
【００１５】
ガラス枠５の下部には遊技球を貯留する上下の球皿（上球皿６ａ及び下球皿６ｂ）が設
けられ、下球皿６ｂの正面右側には遊技球の発射操作を行う発射ハンドル７が設けられて
いる。ガラス枠５の前面側には、発光ダイオード（ＬＥＤ）やランプ等の電飾装置８や、
遊技の展開状態に応じて効果音を発生させるスピーカ９が設けられている。
【００１６】
図１では詳細な図示を省略しているが、遊技盤１０は、ルータ加工等を施した矩形状の
積層合板に、所定の図柄が印刷されたセルを貼り付けて成型される化粧板を基板とし、上
下のレール飾りに囲まれて略円形状の遊技領域ＰＡが形成される。遊技領域ＰＡには、多
数本の遊技釘、風車、中央飾り、遊技の進行状況に応じて所定の画像が表示される演出表
示装置、各種入賞口などの遊技構成部品が設けられ、遊技領域ＰＡの下端部には入賞口に
落入することなく落下した遊技球を裏面側に排出するためのアウト口が遊技盤１０を前後
に貫通して形成されている。
【００１７】
続いて、図２を参照しながら、ぱちんこ遊技機ＰＭの背面側の基本構造を説明する。前
枠２の背面側には、中央に前後連通する窓口を有して前枠２よりも幾分小型の矩形枠状に
形成された基枠体をベースとしてなる裏セット盤３０が、上下のヒンジ機構３を介して前
枠２後方に横開き開閉及び着脱が可能に連結されている。この裏セット盤３０には、前面
開放の矩形箱状をなす裏セットカバー３０Ｃが着脱自在に装着されており、常には前枠２
に取り付けられた遊技盤１０の裏面側を覆って配設されている（これにより後述する主制
御基板ケースユニット１００及び演出制御基板ケースユニット２００が裏セットカバー３
０Ｃにより覆われる）。
【００１８】
裏セット盤３０の各部には、多数個の遊技球を貯留する球貯留タンク３１、球貯留タン
ク３１から右方に緩やかな下り傾斜を有して延びるタンクレール３２、タンクレール３２
の右端部に繋がり下方に延びる球供給通路部材３３、球供給通路部材３３により導かれた
遊技球を払い出す賞球払出ユニット３４、賞球払出ユニット３４から払い出された遊技球
を上球皿６に導くための賞球通路部材３５などが設けられている。
【００１９】
遊技盤１０の背面側には、ぱちんこ遊技機ＰＭの作動を統括的に制御する主制御基板４
１（主制御基板ケースユニット１００）や、遊技展開に応じた画像表示、効果照明、効果
音等の演出全般の制御を行う演出制御基板４２（演出制御基板ケースユニット２００）な
どが取り付けられている。これに対して、裏セット盤３０の背面側には、遊技球の発射及
び払い出しに関する制御を行う払出制御基板４３（払出制御基板ケースユニット３００）
や、遊技施設側から受電して各種制御基板や電気・電子部品に電力を供給する電源基板４
４（電源基板ケースユニット４００）などが取り付けられている。これらの制御基板とぱ
ちんこ遊技機ＰＭ各部の電気・電子部品とがハーネス（コネクタケーブル）で接続されて
、ぱちんこ遊技機ＰＭが作動可能に構成されている。
【００２０】
ぱちんこ遊技機ＰＭは、外枠１が遊技施設の遊技島（設置枠台）に固定設置され、前枠
２、ガラス枠５等が閉鎖施錠された状態で遊技に供され、上球皿６ａに遊技球を貯留させ
て発射ハンドル７を回動操作することにより遊技が開始される。発射ハンドル７が回動操
作されると、上球皿６ａに貯留された遊技球が、ガラス枠５の背面側に配設される球送り
機構によって１球ずつ発射機構に送り出され、発射機構により遊技領域ＰＡに打ち出され
て、以降パチンコゲームが展開される。
【００２１】
［主制御基板ケースユニットの構成］
次に、本実施形態に係る主制御基板ケースユニット１００の構成について図３を追加参
照して説明する。ここで、図３は主制御基板ケースユニット１００の分解斜視図である。
なお、以降の説明においては、説明の便宜のため、上下及び左右前後の方向は、ぱちんこ
遊技機ＰＭへの取付状態での方向として、図３の状態を基準にして定義しており、図３に
示す矢印の方向をそれぞれ前後、左右、上下と称して説明する。
【００２２】
主制御基板ケースユニット１００は、ぱちんこ遊技機ＰＭにおける制御の中枢を担う前
述の主制御基板４１と、主制御基板４１を内部に収容する略矩形容器状の基板ケース１１
０と、を主体として構成されている。
【００２３】
主制御基板４１は、詳細図示を省略しているが、矩形形状のプリント配線板を基板とし
て、ＣＰＵ、ＲＯＭ及びＲＡＭ等の電子デバイス４１１や抵抗、コンデンサ、コネクタ等
の電子・電気部品が実装されて構成されている。この主制御基板４１は、基板ケース１１
０（後述するトップケース１３０）の内面側にビス止め固定される。
【００２４】
基板ケース１１０は、遊技盤１０の背面に着脱されるボトムケース１２０と、このボト
ムケース１２０に着脱自在に取り付けられるトップケース１３０とを備えて構成されてお
り、ボトムケース１２０にトップケース１３０を装着した閉止状態で前後整合するケース
右端部及び左端部に、不正開放防止構造及び封印構造（共に詳細後述）が設けられている
。ボトムケース１２０及びトップケース１３０は、互いの開口同士を相対向させた閉止状
態で組み合わされて一体化される。ボトムケース１２０及びトップケース１３０は、共に
無色透明な樹脂材料（例えば、ポリカーボネート等）を用いて射出成形等の成形手段によ
り形成され、外部からでも基板ケース１１０内を視認可能に構成されている。
【００２５】
ボトムケース１２０は、底壁１２１ａ及びこの底壁１２１ａの周縁から立設される上下
左右の側壁１２１ｂを有して全体として後面開放の矩形箱状に形成されたボトムケース本
体１２１と、ボトムケース本体１２１の右端部に一体的に形成されたボトム側ロック部１
２２と、ボトムケース本体１２１の左端部に一体的に形成されたボトム側封印部１２３と
を有して構成される。ボトムケース本体１２１の上下の側壁１２１ｂには、底壁１２１ａ
からそれぞれ後方に向けて突出するボトム側スライド係合部１２１ｃが左右方向に並んで
複数形成されている。
【００２６】
トップケース１３０は、底壁１３１ａ及びこの底壁１３１ａの周縁から立設される上下
左右の側壁１３１ｂを有して全体として前面開放の矩形箱状に形成されたトップケース本
体１３１と、トップケース本体１３１の右端部に連結部１３２ｂを介して一体的に繋がる
トップ側ロック部１３２と、このトップケース本体１３１の左端部に一体的に形成された
トップ側封印部１３３とを有して、ボトムケース１２０に対して左右方向（「スライド方
向」とも称する）にスライド装着可能に構成されている。トップケース本体１３１の上下
の側壁１３１ｂには、この側壁１３１ｂが延びる長手方向（左右方向）に沿って前面側に
開口してボトムケース１２０のボトム側スライド係合部１２１ｃを受容可能な凹溝状のト
ップ側溝部１３１ｃが形成されるとともに、このトップ側溝部１３１ｃ内においてボトム
ケース１２０のボトム側スライド係合部１２１ｃと係合可能なトップ側スライド係合部１
３１ｄが形成されている。トップケース１３０には、主制御基板４１のコネクタ（図示省
略）の実装位置に対応して表裏貫通するコネクタ挿抜口１３１ｅが形成されており、主制
御基板４１がトップケース１３０に取り付けられた状態で、主制御基板４１のコネクタが
コネクタ挿抜口１３１ｅを通して外部に露出し、演出制御基板４２や払出制御基板４３等
とハーネス（コネクタケーブル）を介して電気接続可能となる。
【００２７】
ボトムケース１２０にトップケース１３０を組み付けるには、ボトムケース１２０に対
してトップケース１３０を左方に若干ずらした状態で前後方向に対向させて、トップケー
ス１３０のトップ側溝部１３１ｃにボトムケース１２０のボトム側スライド係合部１２１
ｃを挿入し、トップケース１３０を右方向（以下において「閉止方向」とも称する）にス
ライド移動させることにより、ボトム側スライド係合部１２１ｃとトップ側スライド係合
部１３１ｄとを係合させる。これにより、ボトムケース１２０とトップケース１３０とが
互いの開口同士を相対向させた閉止状態で一体化される。そして、こうしてボトムケース
１２０にトップケース１３０が組付けられた閉止状態において、前後に位置整合するボト
ム側ロック部１２２とトップ側ロック部１３２とを有して不正開放防止構造が構成される
とともに、同じく前後に位置整合するボトム側封印部１２３とトップ側封印部１３３とを
有して封印構造が構成されている。
【００２８】
＜不正開放防止構造＞
まず、不正開放防止構造は、いわゆるカシメ構造とも称されて、従来から知られている
構成であり、種々の構成が適宜採用されているが、本実施形態では、図３に示されている
ように、ボトムケース本体１２１の右端部に設けられたボトム側ロック部１２２と、トッ
プケース本体１３１の右端部に断面半円筒状の連結部１３２ｂを介して設けられたトップ
側ロック部１３２と、ボトム側ロック部１２２とトップ側ロック部１３２とを係合連結す
るためのロック部材１４０と、を有して構成されている。
【００２９】
ボトム側ロック部１２２は、後方に向けて開口するボトム側ロック孔１２２ａを有して
いる。トップ側ロック部１３２は、ボトム側ロック孔１２２ａと前後に整合する位置に表
裏貫通して形成されたトップ側ロック孔１３２ａを有している。カシメ部材１４０は、前
後に延びる軸部１４１と、この軸部１４１よりも大径の円盤状に形成された操作部１４２
と、軸部１４１に凹設されたピン収容孔（図示省略）内に設けられて軸部１４１の中心軸
と直交する方向に進退自在に支持された円筒状のロックピン１４３とを有している。ロッ
クピン１４３は、ピン収容孔内に設けられたバネ（図示省略）の反発力によってピン先端
部が軸部１４１の外方に突出するよう付勢配設されている。
【００３０】
かかる構成のカシメ構造において、基板ケース１１０が閉止されて、ボトム側ロック部
１２２とトップ側ロック部１３２とを前後に対向して重ね合わせた状態で、ロック部材１
４０の軸部１４１を本体側ロック孔１２２ａ及び蓋側ロック孔１３２ａに跨るように挿入
して、ロック部材１４０をボトム側ロック部１２２とトップ側ロック部１３２とに係合連
結されることで、ボトムケース１２０に対してトップケース１３０が閉止状態で取り外し
不能（開放不能）となる。なお、この状態から基板ケース１１０を開放するには、トップ
ケース本体１３１とトップ側ロック部１３２との間を繋ぐ連結部１３２ｂを切断し、ロッ
ク部材１４０を介してボトム側カシメ部１２２と係合連結した状態のトップ側カシメ部１
３２をトップケース本体１３１から切り離せばよい。これにより、トップケース１３０を
ボトムケース１２０に対して左方向（以下において「開放方向」とも称する）にスライド
移動させて、基板ケース１１０を開放することができる。
【００３１】
＜封印構造＞
続いて、封印構造について図４〜図１０を追加参照しながら説明する。ここで、図４は
ボトム側封印部１２３の斜視図、図５はボトム側封印部１２３の斜視断面図、図６はトッ
プ側封印部１３３の斜視図、図７はトップ側封印部１３３の斜視断面図、図８は封印シー
ルの平面図、図９はシールカッター部材１６０の斜視図、図１０はシールカッター部材１
６０の斜視断面図、である。なお、前述したように、ボトム側封印部１２３及びトップ側
封印部１３３は、ボトムケース１２０及びトップケース１３０に一体的に形成されている
が、図３〜図１０においては、説明の理解を容易にするために、ボトム側封印部１２３及
びトップ側封印部１３３を切り離した状態でこれらのみを取り出して示す。
【００３２】
封印構造は、ボトムケース本体１２１の左端部に一体的に形成されたボトム側封印部１
２３と、トップケース本体１３１の左端部に一体的に形成されたトップ側封印部１３３と
、ボトム側封印部１２３に貼着される封印シール１５０と、基板ケース１１０の開放時に
封印シール１５０を破壊するためのシールカッター部材１６０と、を主体として構成され
る。ボトム側封印部１２３及びトップ側封印部１３３は、基板ケース１１０の閉止状態に
おいて前後に対向配置され、この対向状態においてボトム側封印部１２３とトップ側封印
部１３３との間に封印シール１５０及びシールカッター部材１６０が介在配置されている
。
【００３３】
本体側封印部１２３は、ボトムケース本体１２１の底壁１２１ａから後方に向けて突設
される凸状の台座部１２４を有して形成される。この台座部１２４における略コ字状に屈
曲した外表面部分は、封印シール１５０を貼着するためのシール貼着部１２４ａをなし、
このシール貼着部１２４ａを分断するように３カ所の溝部１２４ｂが左右方向（スライド
方向）に延びて凹設されている。溝部１２４ｂは、左右側方及び後方に亘って連続的に開
口されており、シールカッター部材１６０（後述する破壊突起１６２）の移動を許容する
ための通過路となる。また、台座部１２４には、シール貼着部１２４ａと左右方向（スラ
イド方向）に所定間隔をあけて対峙する平板状のロック受部１２５が立設されている。シ
ール貼着部１２４ａとロック受部１２５との間には、シールカッター部材１６０をボトム
側封印部１２３に装着したときに、シールカッター部材１６０に形成されたロック片１６
６及び阻止片１６７を受容するための凹状の受容空間１２６が形成されている。
【００３４】
封印シール１５０は、図８に示すように、矩形状のシート部材１５１に、ＩＣチップ１
５２及びこれに繋がるアンテナ線１５３が透明な樹脂フィルム１５４によって覆われた状
態で貼り付けられることで構成されており、紙製のシート部材１５１の表面には識別情報
としてのシリアル番号（図示せず）が印刷されている。ＩＣチップ１５２はシート部材１
５１の表面の略中央に配設され、アンテナ線１５３はシート部材１５１の一方の対角線に
沿って配設されている。ＩＣチップ１５２は、ぱちんこ遊技機ＰＭや主制御基板４１に関
する各種情報を記憶した電子素子であり、これに繋がって配設されたアンテナ線１５３を
介して基板ケース１１０の外部からでもこれらの格納情報をリーダによって読み取り可能
となっている。
【００３５】
また、シート部材１５１の外縁には、ギザギザ状の切り込み１５１ａが規則的に形成さ
れ、このシート部材１５１を剥がすときに切り込み１５１ａの谷部に応力集中が生じて破
断され易いように形成されている。一方、樹脂フィルム１５４の外周には、直線状の切り
込み１５４ａが規則的に形成され、封印シール１５０が剥がされたときに、この切り込み
１５４ａに沿って樹脂フィルム１５４と共にアンテナ線１５３が破断され易く、これによ
り情報送信が不能となるように形成されている。
【００３６】
シールカッター部材１６０は、有色透明な合成樹脂材料を用いて射出成形等の成形手段
により形成され、無色透明なボトムケース１２０及びトップケース１３０と識別可能に構
成されている。シールカッター部材１６０は、図９及び図１０に示すように、基壁１６１
ａ及びこの基壁１６１ａの周縁からこれと直交する方向に延びる３カ所の側壁１６１ｂを
有して前方及び右方に開放された略矩形箱状の保護カバー部１６１と、基壁１６１ａの内
面側の右端部に突出形成された３カ所の破壊突起１６２と、を有して構成されており、基
板ケース１１０の閉止状態において保護カバー部１６１により封印シール１５０を包囲し
て保護する一方、基板ケース１１０の開放時には破壊突起１６２により封印シール１５０
を再使用不能な程度に破壊する機能を備えている。保護カバー部１６１における上下の各
側壁１６１ｂには、後述するトップ側封印部１３３の係合アーム１３５と係合可能な凸状
の被係合部１６３が形成されている。
【００３７】
シールカッター部材１６０は、ボトム側封印部１２３に対して前後方向及び左右方向に
着脱可能に構成されている。ここで、シールカッター部材１６０をボトム側封印部１２３
に対して前後方向（スライド方向と直交する方向）に相対移動させて着脱するときは、破
壊突起１６２と封印シール１５０とは左右方向にずれていて接触しないため、破壊突起１
６２によって封印シール１５０が破断されることはない。つまり、封印シール１５０を何
ら傷付けることなくシールカッター部材１６０を着脱することができる。他方、シールカ
ッター部材１６０をボトム側封印部１２３に対して左右方向（スライド方向）に相対移動
させて着脱するときは、該方向から見て破壊突起１６２と封印シール１５０とが重なって
いるので、破壊突起１６２が封印シール１５０に接触してこれを破壊することとなる。
【００３８】
また、保護カバー部１６１の基壁１６１ａには、複数個のスリット１６４ａがミシン目
状に間欠的に配置されてなるカッター側分離部１６４が打ち抜き加工等によって形成され
ており、これら複数個のスリット１６４ａに取り囲まれて、トップケース１３０の開放方
向へのスライド移動を拘束するためのスライドロック部１６５が形成されている。スライ
ドロック部１６５には、基壁１６１ａの内面側からスライド方向と直交する方向（前方）
に延出する平板状のロック片１６６と、基壁１６１ａの内面側からロック片１６６と平行
に延びる平板状の阻止片１６７と、が設けられている。ロック片１６６は、シールカッタ
ー部材１６０がボトム側封印部１２３に装着されたときにボトム側封印部１２３の受容空
間１２６内に挿入されてロック受部１２５とスライド方向に対峙する。カッター側分離部
１６４は、外部からニッパ等の工具を用いて破断可能に形成されており、スライドロック
部１６５をシールカッター部材１６０の他の部分から区分している。つまり、カッター側
分離部１６４が複数個のスリット１６４ａに沿って破断されることにより、スライドロッ
ク部１６５をシールカッター部材１６０から分離可能に構成されている。
【００３９】
トップ側封印部１３３は、トップケース本体１３１と連なって形成され、図６及び図７
に示すように、基壁１３４ａ（トップケース本体１３１の底壁１３１ａの一部をなす）及
びこの基壁１３４ａの周縁からこれと直交する方向に延びる３カ所の側壁１３４ｂを有し
て前方及び右方に開放された略矩形箱状のトップ側収容部１３４と、上下の各側壁１３４
ｂに左右に延びる直線状の切り込みを入れることで板厚方向に弾性変形が可能な係合アー
ム１３５と、を有して構成される。
【００４０】
係合アーム１３５は、基板ケース１１０の閉止状態においてシールカッター部材１６０
の被係合部１６３と係合可能に構成されている。従って、基板ケース１１０の閉止状態か
ら、トップケース１３０をボトムケース１２０に対して開放方向にスライド移動させると
、ボトム側封印部１２３に仮止めされていたシールカッター部材１６０がこのボトム側封
印部１２３から離脱して互いに係合関係にあるトップ側封印部１３３（トップケース１３
０）と共に一体的に開放方向へ移動するようになっている。
【００４１】
また、トップ側封印部１３３の基壁１３４ａには、複数個のスリット１３６ａがミシン
目状に間欠的に配置されてなるトップ側分離部１３６が打ち抜き加工等によって形成され
ており、これら複数個のスリット１３６ａに取り囲まれて遮蔽部１３７が形成されている
。この遮蔽部１３７は、基板ケース１１０の閉止状態において、シールカッター部材１６
０のスライドロック部１６５と整合する位置に設けられている。トップ側分離部１３６は
、外部からニッパ等の工具を用いて破断可能に形成されており、遮蔽部１３７をトップ側
封印部１３３の他の部分から区分している。つまり、トップ側分離部１３６が複数個のス
リット１３６ａに沿って破断されることにより、遮蔽部１３７をトップ側封印部１３３か
ら分離可能であり、その結果として、基壁１３４ａから遮蔽部１３７が取り除かれた部分
に、略矩形状の開口１３８（図１９及び図２０を参照）が開設され、この開口１３８を通
じてシールカッター部材１６０のカッター側分離部１６４にアクセスが可能となる。
【００４２】
次に、このように構成される主制御基板ケースユニット１００において、基板ケース１
１０を閉止するときの作用を説明する。ここで、図１１は封印シール１５０をボトム側封
印部１２３に貼着するときの状態を示す斜視図、図１２はシールカッター部材１６０をボ
トム側封印部１２３に装着するときの状態を示す斜視図、図１３はシールカッター部材１
６０をボトム側封印部１２３に装着した状態を示す斜視断面図、図１４はトップ側封印部
１３３をボトム側封印部１２３に位置合わせした状態を示す斜視図、図１５はボトム側封
印１２３に対してトップ側封印部１３３を閉止方向にスライド移動させた状態を示す斜視
図、図１６はボトム側封印１２３に対してトップ側封印部１３３を閉止方向にスライド移
動させた状態を示す斜視断面図、図１７はトップ側封印部１３３をボトム側封印部１２３
にスライド装着した状態を示す斜視図、図１８はトップ側封印部１３３をボトム側封印部
１２３にスライド装着した状態を示す斜視断面図、図１９はトップ側分離部１３６を破断
した状態を示す斜視図、図２０はトップ側分離部１３６を破断した状態を示す斜視断面図
、図２１はカッター側分離部１６４を破断した状態を示す斜視図、図２２はカッター側分
離部１６４を破断した状態を示す斜視断面図、図２３はボトム側封印部１２３に対してト
ップ側封印部１３３を開放方向にスライド移動させた状態を示す斜視図、図２４はボトム
側封印部１２３に対してトップ側封印部１３３を開放方向にスライド移動させた状態を示
す斜視断面図、である。なお、前述したように、ボトム側封印部１２３及びトップ側封印
部１３３は、ボトムケース１２０及びトップケース１３０に一体的に形成されているが、
図１１〜図２３においては、説明の理解を容易にするために、ボトム側封印部１２３及び
トップ側封印部１３３を切り離した状態でこれらのみを取り出して示す。
【００４３】
まず、基板ケース１１０を組み立てるには、図１１に示すように、前もって、ボトム側
封印部１２３のシール貼着部１２４ａに封印シール１５０を略コ字状に折り曲げて貼着す
る。封印シール１５０がシール貼着部１２４ａに貼着されると、封印シール１５０によっ
てボトム側封印部１２３の３カ所の溝部１２４ｂの開口全体が覆われて、封印シール１５
０のアンテナ線１５３が３カ所の溝部１２４ｂ上を横断するように配置される。
【００４４】
続いて、図１２に示すように、封印シール１５０が貼着された状態のボトム側封印部１
２３にシールカッター部材１６０を位置合わせし、このシールカッター部材１６０をボト
ム側封印部１２３に被せる（仮止めする）。シールカッター部材１６０がボトム側封印部
１２３に装着されて状態では、図１３に示すように、シールカッター部材１６０のロック
片１６６及び阻止片１６７がボトム側封印部１２３の受容空間１２６内に挿入されて、ロ
ック片１６６とロック受部１２５とがスライド方向に対峙する。また、シールカッター部
材１６０の破壊突起１６２が封印シール１５０に近接配置される。
【００４５】
続いて、図１４に示すように、トップ側封印部１３３（トップケース１３０）をボトム
側封印部１２３（ボトムケース１２０）に対して、左方に若干ずらした位置で重なり合わ
せる。この状態から、図１５及び図１６に示すように、トップ側封印部１３３（トップケ
ース１３０）をボトム側封印部１２３（ボトムケース１２０）に対して閉止方向にスライ
ド移動させて、トップケース１３０をボトムケース１２０にスライド装着する。
【００４６】
トップケース１３０をボトムケース１２０に組み付けた状態では、図１７及び図１８に
示すように、トップ側封印部１３３の保護カバー部１３４が、シールカッター部材１６０
、封印シール１５０及びボトム側封印部１２３を一括して包囲するとともに、トップ側分
離部１３６とカッター側分離部１６４とが互いに位置整合することとなる。また、このと
きトップ側封印部１３３の係合アーム１３５がシールカッター部材１６０の被係合部１６
３に係合されて、トップ側封印部１３３（トップケース１３０）がシールカッター部材１
６０に対して相対移動不能に連結される。
【００４７】
一方、不正開放防止構造においては、詳細図示を省略するが、ボトムケース１２０にト
ップケース１３０をスライド装着したとき、ボトム側ロック部１２２とトップ側ロック部
１３２とが前後に重なり合い、この状態でロック部材１４０をトップ側ロック孔１３２ａ
とボトム側ロック孔１２２ａとに跨るように挿入することで、このロック部材１４０を介
してトップ側ロック部１３２とボトム側ロック部１２２とが連結し、トップケース１３０
がボトムケース１２０に（連結部１３２ｂを切り離さない限りは）開放不能に装着される
。
【００４８】
基板ケース１１０が閉止状態になると、トップケース１３０をボトムケース１２０に対
して開放方向にスライド移動させようとしても、ロック部材１４０がトップ側ロック部１
３２とボトム側ロック部１２２とに跨って挿入されているため、当該スライド移動が規制
される。
【００４９】
このように基板ケース１１０が閉止状態に保持されると、基板ケース１１０内に収容さ
れた主制御基板４１への外部からのアクセスは困難である。ここで、封印シール１５０に
は、ＩＣチップ１５２及びアンテナ線１５３が実装されており、基板ケース１１０の内部
に収容された状態のままで、ＩＣチップ１５２に格納された各種情報を、基板ケース１１
０を開放することなくリーダによって外部から読み取り可能である。
【００５０】
次に、基板ケース１１０を開放する際の作用について説明する。まず、基板ケース１１
０を開放するには、詳細図示を省略するが、不正開放防止構造におけるトップ側ロック部
１３２とトップケース本体１３１との間を繋ぐ連結部１３２ｂをニッパ等の工具を用いて
切断し、ロック部材１４０を介してボトム側ロック部１２２と係合連結された状態のトッ
プ側ロック部１３２をトップケース本体１３１から切り離す。
【００５１】
ここで、本実施形態では、この状態からトップケース１３０をボトムケース１２０に対
して開放方向にスライド移動させようとしても、封印構造において、シールカッター部材
１６０のロック片１６６がボトム側封印部１２３のロック受部１２５と当接してトップケ
ース１３０を定位置（閉止状態）にロックするため、前述のように不正開放防止構造にお
ける連結部１３２ｂを切断しただけでは、当該スライド移動は拘束されたままである。
【００５２】
そこで、まず始めに、図１９及び図２０に示すように、トップ側封印部１３３のトップ
側分離部１３６をニッパ等の工具を用いて複数個のスリット１３６ａに沿って破断する。
これにより、トップ側分離部１３６を介してトップ側収容部１３４と連結された状態の遮
蔽部１３７がトップ側封印部１３３から切り離され、この遮蔽部１３７が取り除かれた部
分に略矩形状の開口１３８が開設される。
【００５３】
続いて、図２１及び図２２に示すように、トップ側封印部１３３の開口１３８を通じて
、シールカッター部材１６０のカッター側分離部１６４をニッパ等の工具を用いて複数個
のスリット１６４ａに沿って破断する。これにより、カッター側分離部１６４を介してカ
ッター側収容部１６１と連結された状態のスライドロック部１６５がシールカッター部材
１６０から分離され、その結果として、ロック受部１２５と協働してトップケース１３０
の開放方向へのスライド移動を拘束していたスライドロック部１６５（ロック片１６６）
が取り除かれる。これにより、ボトムケース１２０とトップケース１３０との連結が絶た
れ、基板ケース１１０が開放可能な状態となる。
【００５４】
ここで、基板ケース１１０が開放される前の状態では、図２２に示すように、シールカ
ッター部材１６０の破壊突起１６２は封印シール１５０と接触しておらず所定間隔をあけ
て近接対向している。前述したように、トップ側封印部１３３とシールカッター部材１６
０とは一体的に係合連結（係合アーム１３５と被係合部１６３とが係合）しているため、
トップケース１３０を開放方向にスライド移動させると、シールカッター部材１６０もト
ップケース１３０と一体化された状態で開放方向へ移動することとなる。
【００５５】
このとき、ボトム側封印部１２３の溝部１２４ｂは、破壊突起１６２の移動軌跡に対応
する位置に凹設され、この溝部１２４ｂ上を横断するようにして封印シール１５０が貼着
されているので、シールカッター部材１６０を開放方向にスライド移動させると、図２３
及び図２４に示すように、破壊突起１６２が封印シール１５０に接触して当該スライド方
向に沿って封印シール１５０を破断しながら溝部１２４ｂを通過することとなる。このよ
うに封印シール１５０を切り裂けば、ＩＣチップ１５２そのものを破壊できなくても、ア
ンテナ線１５３を破壊することができ、ＩＣチップ１５２に格納された各種情報が実質的
に読み取り不能となるため、これにより不正アクセスの痕跡を残存させることができると
ともに、封印シール１５０を再使用不能な程度に破壊することができる。
【００５６】
そして、トップケース１３０と共にシールカッター部材１６０をそのまま開放方向にス
ライド移動させれば、破壊突起１６２が封印シール１５０を破断しつつ溝部１２４ｂの開
放端から脱出し、ボトムケース１２０のボトム側スライド係合部１２１ｃがトップケース
１３０のトップ側溝部１３１ｃから抜去される所定位置まで到達したところで、トップケ
ース１３０をボトムケース１２０に対して後方に離間させれば、ボトムケース１２０から
トップケース１３０が取り外される。
【００５７】
こうして取り外されたトップケース１３０には、図２３及び図２４に示すように、複数
個のスリット１３６ａに沿ってトップ側分離部１３６が破断された痕跡（基板ケース１１
０が開放されたことを示す痕跡として開口１３８）が明瞭に残存し、不正な使い回しがで
きなくなる。これと同様に、シールカッター部材１６０には、図２３及び図２４に示すよ
うに、複数個のスリット１６４ａに沿ってカッター側分離部１６４が破断された痕跡（基
板ケース１１０が開放されたことを示す痕跡としてスライドロック部１６５の消失）が明
瞭に残存し、不正な使い回しができなくなる。そのため、複数の中古機等から同型の基板
ケース（１１０）を取り出し、これらの中からケース構成部品を無傷の状態でそれぞれ抽
出して適宜に組み合わせることで、１個の新たな基板ケース（１１０）を複製しこれを正
規品とすり替える、所謂二個一（ニコイチ）と称される不正行為に利用されたとしても、
トップケース１３０、シールカッター部材１６０及び封印シール１５０には破壊痕が明瞭
に残存しているため、その不正行為を容易に見破ることができる。
【００５８】
以上、本実施形態に係る主制御基板ケースユニット１００によれば、トップケース１３
０、シールカッター部材１６０及び封印シール１５０を破壊することなく、基板ケース１
１０を開放することができない構造となるため、基板ケース１１０が開放された場合には
その痕跡を明瞭に残存させて該不正行為を早期に発見することができるとともに、基板ケ
ース１１０の構成部品を破壊痕のない状態で使い回し出来なくなるので所謂二個一（ニコ
イチ）と称される不正行為を未然に防止することが可能である。また、基板ケース１１０
の内部に隠蔽されたかたちでロック片１６６とロック受部１２５とが当接してボトムケー
ス１２０に対するトップケース１３０のスライド移動を拘束する構成であるため、基板ケ
ース１１０の外部からロック片１６６及びロック受部１２５にアクセスして当該ロック状
態（当接状態）を解除するのは非常に困難であり、基板ケース１１０の不正な開放を厳重
に抑止して主制御基板４１に対する不正な改造行為を受け難くすることが可能である。従
って、本実施形態によれば、不正行為の予防及び早期発見に寄与することが可能になると
いう効果を奏する。
【００５９】
また、本実施形態に係る主制御基板ユニット１００では、基板ケース１１０を組み立て
る際に、溶着や接着等の二次加工が不要な構造であるため、組み立ての作業性が向上する
とともに製造コストの低減を図ることができる。
【００６０】
また、本実施形態に係る主制御基板ユニット１００では、基板ケース１１０の閉止状態
において、外部からトップケース１３０及びシールカッター部材１６０のスリット１３４
ａ，１６４ａに不正具を挿入してロック片１６６にアクセスしようとしても（スライドロ
ックを解除するためにロック片１６６を切除しようとしても）、ロック片１６６と近接対
向した状態で阻止片１６７が配置されているため、ロック片１６６への侵入経路を遮断し
てロック片１６６へのアクセスを困難とすることができる（図２０の破線Ｘを参照）。
【００６１】
なお、本発明は、上記実施形態に限定されるものではなく、本発明の要旨を逸脱しない
範囲であれば適宜改良可能である。
【００６２】
上述の実施形態では、基板ケース１１０の閉止状態からトップケース１３０を開放方向
にスライド移動させると、シールカッター部材１６０のロック片１６６がボトム側封印部
１２３のロック受部１２５に当接して当該スライド移動を拘束するように構成したが、こ
れに限定されるものではなく、例えば、シールカッター部材１６０をボトム側封印部１２
３に装着したとき、シールカッター部材１６０のロック部がボトム側封印部１２３の被ロ
ック部に（例えば、ボトム側スライド係合部１２１ｃとトップ側スライド係合部１３１ｄ
との係合関係、ロック部材１４０とロック孔１２２ａ，１３２ａとの係合関係、又は係合
アーム１３５と被係合部１６３との係合関係の如く）係合連結することで、トップケース
１３０を定位置にロックして、ボトムケース１２０に対するトップケース１３０の開放方
向へのスライド移動を拘束するように構成してもよい。
【００６３】
また、上述の実施形態では、封印構造におけるシール部材として、ＩＣチップ及びアン
テナ線を備えた封印シールを例示して説明したが、これに限定されるものではなく、ＩＣ
チップ及びアンテナ線を備えていない封印シールを用いてもよい。また、ＩＣチップの代
わりに、例えば、シート部材に固有の識別情報等を示すＱＲコード(登録商標)を印刷によ
って付した封印シールを用いてもよい。
【００６４】
また、上述の実施形態では、説明の理解を容易にするために、先にトップ側分離部１３
６を破断してからカッター側分離部１６４を破断しているが、例えば、スリット１３６ａ
とスリット１６４ａとの開口位置が整合する場合には、トップ側分離部１３６とカッター
側分離部１６４とを同時に破断してもよい。また、上述の実施形態では、説明の理解を容
易にするために、トップ側分離部１３６とカッター側分離部１６４とを完全に破断した場
合を例示して説明したが、シールカッター部材１６０のロック片１６６を破壊してスライ
ドロックを解除できるものであれば、トップ側分離部１３６とカッター側分離部１６４と
の少なくとも一部のみを破断するものであってもよい。
【００６５】
また、上述の実施形態では、トップ側分離部１３５及びカッター側分離部１６４として
ミシン目状に配置した複数のスリットを例示したが、この構成に限定されるものではなく
、例えば、他の部分の肉厚よりも薄肉に凹設した脆弱部として形成することで、ニッパ等
の工具を用いて容易に破断可能に構成してもよい。
【００６６】
また、上述の実施形態では、不正開放防止構造及び封印構造の両方を具備する基板ケー
スユニットを適用したが、この構成に限定されるものではなく、封印構造のみを具備する
基板ケースユニットであってもよい。
【００６７】
なお、上述の実施形態においては、本発明に係る基板ケースユニットをぱちんこ遊技機
の主制御基板ケースユニットに適用した場合を例示して説明したが、これに限定されるも
のではなく、演出制御基板ケースユニットや払出制御基板ケースユニットなどの他の基板
ケースユニット等に適用してもよく、更には、ぱちんこ遊技機以外の遊技機、例えばスロ
ットマシンの基板ケースユニットに適用しても同様の効果を得ることが可能である。
【符号の説明】
【００６８】
ＰＭ  ぱちんこ遊技機
１  外枠
２  前枠
５  ガラス枠
１０  遊技盤
４１  主制御基板（制御基板）
１００  主制御基板ケースユニット（基板ケースユニット）
１１０  基板ケース
１２０  ボトムケース（第１ケース部材、一方のケース部材）
１２１  ボトムケース本体
１２３  ボトム側封印部
１２５  ロック受部（被ロック部）
１３０  トップケース（第２ケース部材、他方のケース部材）
１３１  トップケース本体
１３３  トップ側封印部
１３４  トップ側収容部
１３５  係合アーム
１３６  トップ側分離部（ケース分離部）
１３６ａ  スリット
１３７  遮蔽部
１３８  開口
１５０  封印シール（シール部材）
１６０  シールカッター部材（シール破断部材）
１６１  保護カバー部
１６２  破壊突起
１６３  被係合部
１６４  カッター側分離部（破断部材分離部）
１６４ａ  スリット
１６５  スライドロック部（ロック部）
１６６  ロック片（ロック部）
１６７  阻止片（阻止部）
【図１】
2014171757.tif 000003
【図２】
2014171757.tif 000004
【図３】
2014171757.tif 000005
【図４】
2014171757.tif 000006
【図５】
2014171757.tif 000007
【図６】
2014171757.tif 000008
【図７】
2014171757.tif 000009
【図８】
2014171757.tif 000010
【図９】
2014171757.tif 000011
【図１０】
2014171757.tif 000012
【図１１】
2014171757.tif 000013
【図１２】
2014171757.tif 000014
【図１３】
2014171757.tif 000015
【図１４】
2014171757.tif 000016
【図１５】
2014171757.tif 000017
【図１６】
2014171757.tif 000018
【図１７】
2014171757.tif 000019
【図１８】
2014171757.tif 000020
【図１９】
2014171757.tif 000021
【図２０】
2014171757.tif 000022
【図２１】
2014171757.tif 000023
【図２２】
2014171757.tif 000024
【図２３】
2014171757.tif 000025
【図２４】
2014171757.tif 000026